(57)【要約】  幼児用椅子１は、座部４と、座部４に取り付けられた背もたれ部３とを備えた椅子ユニット２を備え、椅子ユニット２は、前側の対の脚２０及び後側の対の脚２０によって支持されており、後側の対の脚は、これらの対の脚が互いから拡張している支持位置と、これらの対の脚が互いに向けて引き込んでいる引込位置との間で折り畳むことができるように配置されている。後側の対の脚は、水平な軸線の回りで回動するための、上側部分を有する、椅子ユニット２内でジャーナル支持された連結機構１５によって担持されている。ロック装置７は、連結機構１５をロックすることができ、かつ、連結機構１５の拡張した端位置で後側の対の脚をロックすることができるように設けられている。
2012521847.tif 000002
【特許請求の範囲】
【請求項１】
座部（４）と、前記座部（４）に取り付けられた背もたれ部（３）とを備えた椅子ユニット（２）を備え、前記椅子ユニット（２）は、前側の対の脚（２０）及び後側の対の脚（２０）によって支持されている、幼児用椅子（１）において、
前記後側の対の脚は、前記対の脚が互いから拡張している支持位置と、前記対の脚が互いに向けて引き込んでいる折畳位置との間で折り畳むことができるように配置されている、幼児用椅子（１）において、
前記後側の対の脚は、水平な軸線の回りで回動するための、上側部分を有する、前記椅子ユニット（２）内でジャーナル支持された連結機構（１５）によって担持されており、
ロック装置（７）は、前記連結機構（１５）をロックすることができ、かつ、前記連結機構（１５）の拡張した端位置で前記後側の対の脚をロックすることができるように設けられていることを特徴とする幼児用椅子（１）。
【請求項２】
前記ロック装置（７）は、前記連結機構（１５）に回動可能に取り付けられているガイドレール（４０）を備え、
前記ガイドレールは、前記椅子ユニットに取り付けられた壁（３２）に設けられた開口（３３）を通して延びており、
前記ガイドレール（４０）は、前記ガイドレール（４０）に関して移動可能であるロック要素（４４）を担持し、
前記ロック要素（４４）を前記ガイドレール（４０）から離れる方向に端位置へ付勢するための付勢ばね（４６）が設けられ、
前記ロック要素は、前記連結機構及び前記後側の対の脚（２０）が拡張した端位置にある時に、前記壁（３２）に隣接しかつ前記開口（３３）の縁部の外側に位置する、前記壁（３２）に面する当接面（４５）を有し、
前記付勢ばね（４６）の作用を受けた前記ロック要素が前記ガイドレール（４０）に向けて移動させられる時に、前記ロック要素が前記ガイドレールと共に前記開口を通して通過させることができるように、前記壁の前記開口（３３）が配置される、ことを特徴とする請求項１に記載の幼児用椅子。
【請求項３】
前記ロック要素（４４）は、前記ガイドレール（４０）に沿って延びるように配置されたロッドを備え、前記ロック要素（４４）は、前記連結機構（１５）に面する端部において、前記ガイドレール（４０）に関してジャーナル支持されており、前記ロッドの前記自由端部は、前記当接面（４５）を形成することを特徴とする請求項２に記載の幼児用椅子。
【請求項４】
前記ガイドレール（４０）と、前記連結機構から離れて面している前記端部は、前記壁の前記開口（３３）を通して前記ガイドレールが引き込まれるのを防ぐために、前記ガイドレールの長手軸線方向に横断して向けられておりかつ前記連結機構に関して前記壁（３２）を越えて位置する、先端（４９）を有し、
前記幼児用椅子は、前記ガイドレールの前記先端（４９）のための操作カム（３８）を備え、
前記操作カム（３８）は、前記連結機構（１５）の保管位置において前記ガイドレールの前記先端（４９）のための凹所（５１）を備え、
前記連結機構（１５）に面する前記先端の前記面（５４）と、前記先端の前記面（５４）と協働する前記凹所の前記面（３９）は、楔作用を提供するように整形されており、
この楔作用により、前記ガイドレール（４０）への予め定めた引く力を加えた時に、前記先端（４９）が突然に前記凹所を離れることができ、これによって生じるモーメントが、前記拡張した端位置に向かう前記一対の折畳式脚の回動運動に対して作用する力より実質的に高くなることを特徴とする請求項２又は３に記載の幼児用椅子。
【請求項５】
前記先端（４９）は、前記凹所に係合する方向及び前記凹所から離れる方向それぞれに移動可能である、付勢されたばね（４６）であり、
前記方向は、前記ガイドレールの長手軸線方向を実質的に横断して延びていることを特徴とする請求項４に記載の幼児用椅子。
【請求項６】
前記ガイドレール（４０）は、前記ガイドレールの前記先端に前記ばねの付勢運動を提供するために、弾性を持って柔軟であることを特徴とする請求項５に記載の幼児用椅子。
【請求項７】
前記椅子ユニット（２）は、強固であり、前記座部に関して強固に前記椅子ユニットに取り付けられている足載せ台（５）を備え、
前記後側の対の脚は、前記連結機構（１５）の下側部分に取り付けられており、
前記連結機構の前記上側部分は、前記座部（４）と前記背もたれ部（３）の間の移行領域内でジャーナル支持されており、
前記椅子ユニット（１）の前記脚（２０）全ては、互いに長さが等しいことを特徴とする請求項１〜６のいずれか１項に記載の幼児用椅子。
【請求項８】
前記脚（２０）の長さは、前記椅子ユニット（２）の最も大きな寸法に実質的に対応することを特徴とする請求項７に記載の幼児用椅子。
【発明の詳細な説明】
【技術分野】
【０００１】
本発明は、請求項１の前文に記載の幼児用椅子に関する。
【背景技術】
【０００２】
幼児用椅子は、ダイニングテーブル又は台所用テーブルのレベルのわずか下のレベルに幼児が座ることができるように、比較的に高くなければならず、また、とりわけ転倒しないように高い安全性が確保されなければならない。それゆえ、好ましくは、広く距離を取られた位置で床上に支持されるように向けられることが好ましく、これは、幼児用椅子が比較的に大きな空間を必要とするということを意味する。それゆえ、幼児用椅子の一対の脚を、他方の対の脚の位置と近い、引き込んだ第一の引込位置と、拡張した第二の使用位置との間で回動可能に配置することが好ましい。当然、ロックが解除されうる拡張位置で折畳式脚の有効なロックを保証することができることが好ましい。さらに、部分的に組み立てられていない脚と、脚を取り付けることができる椅子ユニットとを部分的に備えた、最少化された包装の形態の幼児用椅子を販売及び流通することができることが好ましい。椅子の脚は、脚の端を椅子ユニット上の各ソケットに強固に取り付けることによって取り付けられる。
【発明の概要】
【発明が解決しようとする課題】
【０００３】
本発明の一つの目的は、拡張位置で一対の折畳式脚を確実にロックすることに加えて、一対の折畳式脚を引込位置から拡張する時に高い安全性で完全な拡張及びロック位置にすることができる、幼児用椅子用のロック機構を提供することである。
【０００４】
本発明のさらなる目的は、一対の折畳式脚が引込位置に振り戻すことができるように係合解除するのが容易であるロック機構を提供することである。
【課題を解決するための手段】
【０００５】
これらの目的の一つ又はいくつかは、本発明によって完全に又は部分的に実現される。
【０００６】
本発明は、添付の独立請求項に規定されている。
【０００７】
本発明の実施例は、添付の従属請求項に規定されている。
【０００８】
したがって、本発明は、一対の折畳式脚と、脚が拡張した端位置に移動する時に一対の折畳式脚を自動的にロックするロック機構とを備えた幼児用椅子であって、ロック機構は、引込位置に脚を戻すように移動させるために一対の折畳式脚を係合解除することができる制御手段を有する、幼児用椅子を提供する。
【０００９】
さらに、ピボット軸受の周りで一対の折畳式脚に加えられるトルクに関する特定の限度値まで、一対の折畳式脚を引込位置で保持するために配置されている、ブロック装置が提供される。使用者が一対の折畳式脚に上記の限度値よりも大きなトルクを加える時、一対の折畳式脚を突然に放し、この脚（及び使用者の腕）が、ロック機構によって生じる、一対の折畳式脚のロック端位置まで存在するモーメントが与えられるように、ブロック装置は配置される。
【００１０】
幼児用椅子は、座部を備えた強固な椅子ユニットと、座部に強固に取り付けられた背もたれ部と、座部に強固に取り付けられた足載せ台とを備え、足載せ台は、座部のレベルの下の一定距離に位置し、これにより、椅子ユニットは、前側の対の脚及び後側の対の脚によって担持され、これらの対の脚は、これらの対の脚が互いから拡張している支持位置と、これらの対の脚が互いに向けて引き込まれている引込位置との間で相互に折る畳むことができる。前側の対の脚は、足載せ台の領域内で椅子ユニットに永久的に取り付けることができる。後側の対の脚は、連結機構の下側部分に取り付けることができ、この連結機構は、上側部分で、水平軸線回りの回動運動のために、座部と背もたれ部の間の移行領域内で、椅子ユニット内で回動可能に回転させられる。連結機構の長さは、相互に一様で等しい長さの幼児用椅子の脚を利用するように適切に適合されている。これにより、脚の長さが最少化され、これにより、実際の実施例では、脚の長さは、椅子ユニットの最も大きな寸法に実質的に対応し、例えば椅子ユニットの対称平面における包装の長さが、包装の長さを実質的に決定し、椅子ユニットが、例えば、椅子ユニットに適した平行六面体の形態である、段ボールの寸法内で空間を提供するということを意味する。
【００１１】
本発明の幼児用椅子は、実施例と共に、添付図面に示す発明の実施例を参照しつつ説明する。
【図面の簡単な説明】
【００１２】
【図１】本発明の幼児用椅子の側面図を示す。
【図２】本発明の幼児用椅子の背面から見た図を示す。
【図３】本発明の幼児用椅子の正面図を示す。
【図４】拡張位置における幼児用椅子の後側の対の脚用のロック機構を拡大して見た部分断面図を示す。
【図５】引込位置における幼児用椅子の後側の対の脚の、図４に対応する図を示す。
【発明を実施するための形態】
【００１３】
図１〜３は、背もたれ部３と、座部４と、実質的に垂直な取付壁６を通して座部４の前側縁部領域に一体に取り付けられている足載せ台５とを備えている、射出成形のプラスチック製の椅子ユニット２を備えた、椅子ユニット１を示している。安全装置１０は、幼児用椅子の垂直方向対称平面内で回動可能である中央支柱部１１を備え、中央支柱部１１の下側端部で、座部４と取付壁６の間の移行領域においてジャーナル支持されている（参照番号１２）。中央支柱部１１の上側端部において、背もたれ部３に面する凹状側面を有するテーブル１３が配置されている。
【００１４】
図面に示していないブロック手段により、中央支柱部１１を直立位置で拘束することができる。
【００１５】
さらに、椅子ユニット１が連結機構１５を備え、この連結機構の上側部分は、背もたれ部３と座部４の間の移行領域の近傍に位置する、水平軸線回りでジャーナルされている（参照番号１６）ことが示されている。連結機構１５の下側端部は、足載せ台５と同じレベル付近の拡張した端位置で示されている。椅子ユニットの複数の下側縁部は、互いに下方に分岐している。
連結機構１５は、下方に分岐している複数の側縁部を有している。足載せ台５の領域内の椅子ユニットの下側縁部は、連結機構１５の下側端部における連結機構の側縁部と共に、丸い足部２１を有することが示されている別個の椅子脚２０を受容する、受容スリーブ又はソケットの形態を有している。この足部により、脚２０が地面や床上のいかなる物体に引っかかる危険や幼児用椅子が転倒する危険が減らされる。
【００１６】
脚２０は、足部２１が正確に向くのを保証するために、各ソケット１７内の対応する凹所と係合する、ブロックばねを有することができる。足部２１を有する脚２０は、好ましくは、相互に類似し等しい長さである。幼児用椅子の四つの脚２０は、座部４の上方の地点に向けて収束している。
【００１７】
図１から、カバー３０は、取付壁６と足載せ台５の間の空間３１を仕切るために、取付壁６及び足載せ台５の領域において、椅子ユニットの下側面上に取り付けられると言うことができる。図４及び５においてより詳細に示すように、係合解除可能なロック装置７は、連結機構１５の下側端部と、椅子ユニット２に取り付けられたカバー３０との間に取り付けられている。したがって、カバー３０は、ほぼ水平な軸線を有する軸受４１を通して連結機構１５の下側端部内でジャーナル支持されている、ガイドレール４０用の開口部３３を有するほぼ垂直な壁３２を有するということができる。ロック要素４４は、実質的に水平な軸線を有する軸受４１を通って、連結機構１５の下側部分内でジャーナル支持される。ロック要素４４は、ガイドレール４０上で、例えば、軸受４１の軸線回りでジャーナル支持されている。ロック要素の自由端部４７は、後側の対の脚が拡張した時に壁３２の開口３３を通って延びる。ばね４６が、ガイドレール４０とロック要素４４の間に配置される。あるいは、ロック要素自体が、弾性を持ってガイドレール４０上の支持部材４３の周りで柔軟であってもよい。それにより、ばね４６の機能が実現される。ロック要素は、さらに、後側の対の脚が拡張した時にロック要素の拡張位置で、開口３３の内側縁部と協働して後側の対の脚が引き込む又は畳み込むのを防ぐ、ステップの形態の当接面４５を有する。ロック要素４４をガイドレール４０に向けて回動させることによって、当接面４５は、開口３３を通して通過させることができる。
【００１８】
ロック要素は、開口３３の下の領域において、壁３２の背後で係合する先端４９を有する。カバーは、先端４９の下側端部のためのガイドカム３８を有するほぼ水平な底ユニット３７を有する。
【００１９】
ロック要素４４に対して下方に手で圧力をかけることによって、ロック要素４４がガイドレール４０に接近し、ロック要素の当接面４５が、ガイドレール４０と共に、開口３３を通して移動させることができ、ガイドレール４０の下側縁部及びロック要素４４の上側部分は、空間３１内に押している間、各上側縁部の下で、開口３３に対して摺動することができる。図５に示すように、連結機構１５のための引込位置の近傍において、先端４９は、ガイドカム３８へ摺動し、下方に凹所５１へ嵌る。この傾斜路は、端面３９を有し、この端面３９は、端面３９に面している先端の側面５４に向けて回転させられているということが明白である。これらの表面は、ガイドレールの長手軸線に関して傾斜しており、さらに、ガイドレール４０は、弾性を持って柔軟に配置されている。使用者は、後側の脚２０と共に、後側連結機構１５を図１に示す拡張端位置に向けて曲げたい時、突然生じる、先端４９を凹所５１から離すために、使用者は、ガイドレール４０の長手軸線方向に比較的に高い力を加えなければならない。当然、使用者は、加えられた力を止めることができず、連結機構１５、脚２９及びガイドレール４０を加速し、モーメントが、開口３３の上側縁部及び下側縁部それぞれに対して、ロック要素４４とガイドレール４０の間の摩擦を確実に克服するのに十分になり、ロック要素の当接面４５が、確実に開口３３を通って通過し、ばね４６の影響の下で、ブロック位置まで付勢される。
【００２０】
当然、意図しない、連結機構１５が折りたたんで後側の対の脚２０が保管位置向かうのを防ぐ、ばねで付勢されたロック要素４４は、当然、子供が操作できないロックを備えている。
【図１】
2012521847.tif 000003
【図２】
2012521847.tif 000004
【図３】
2012521847.tif 000005
【図４】
2012521847.tif 000006
【図５】
2012521847.tif 000007
【国際調査報告】
2012521847.tif 000008
2012521847.tif 000009
2012521847.tif 000010